(57)【特許請求の範囲】
【請求項１】
複数の昇降路ユニットを積み重ねて昇降路を形成するエレベータ装置において、前記各昇降路ユニットに乗場から折り畳み可能な構成の足場を取り付けたことを特徴とするエレベータ装置。
【請求項２】
前記足場はその床面積が可変であることを特徴とする請求項１記載のエレベータ装置。
【請求項３】
複数の昇降路ユニットを積み重ねて昇降路を形成し、この昇降路内に昇降機ユニットを設置するエレベータの据付方法において、前記各昇降路ユニットには予めその床面積が可変で乗場から折り畳み可能な構成の足場を取り付けておき、前記足場の床面積を広くして各昇降路ユニットの連結を行い、前記の全部又は一部の足場を折り畳んで前記昇降機ユニットを前記昇降路内へ搬入し、前記足場の床面積を狭くして前記昇降機ユニットの据付を行うことを特徴とするエレベータの据付方法。
【発明の詳細な説明】
【０００１】
【発明の属する技術分野】
本発明は、ユニットを上下方向に複数積み重ねて連結する構成のエレベータ装置及びその据付方法に関するものである。
【０００２】
【従来の技術】
近年、エレベータが設置されていない中低層の既設建物にもエレベータの設置が要望されるようになってきている。そのため、既設建物にエレベータを追加建設する方法が考えられている。
【０００３】
従来のこの種のエレベータとして、特開平９―１２４２５０がある。このエレベータは、内部に作業用の足場を設けたエレベータユニットを、高さ方向に複数積み重ねて連結して昇降路を構成し、その後前記足場を除去して、昇降路内にかごやガイドレールを据え付けていくものである。
【０００４】
【発明が解決しようとする課題】
前記の従来技術は、各ユニットの連結作業を行う必要上、足場はかご等と干渉する位置に設置されているため、かごやガイドレールを据え付けるためには、足場を撤去しなければならない。そのため、ガイドレール等の据え付け調整時には、新たに別の足場を設け、据付完了時に再度足場を撤去しなければならないという問題があった。
【０００５】
【課題を解決するための手段】
本発明は、足場を折り畳み可能な構成にすることにより、足場を撤去することなくかごやガイドレールの据え付けができるようにしたものである。
また本発明は、足場の床面積を調整可能とすることにより、同一の足場をエレベータユニットの連結固定にも、またガイドレールなどの据付固定にも使用できるようにしたものである。
【０００６】
【発明の実施の形態】
本発明の実施の形態を図１〜図８により説明する。図１〜図７はエレベータの据付工程を建物の乗場（図示省略）側から見た昇降路断面図を示している。
まず図1に示すように、建物に近接した位置に設置したピット５０に、予め折り畳み式足場１１を設けた最下昇降路ユニット１０を設置する。この足場１１は建物の乗場から折り畳み操作ができる位置に取り付けられており、その床面積が可変になっている。９０はクレーン等で昇降路ユニット１０を吊っているワイヤーロープである。
【０００７】
次に図２，図３に示すように、前記と同様の足場２１，３１を備えた中間昇降路ユニット２０、最上昇降路ユニット３０を積み重ねていく。このとき、昇降路ユニット１０と２０との接合には足場１１を、昇降路ユニット２０と３０との接合には足場２１を使用しているため、足場１１，２１は広げた状態、足場３１は畳んだ状態にしてある。また本実施形態においては、各足場間の移動は建物の乗場を利用している。
更に、各階の乗場ユニット（図示省略）を昇降路内に搬入して据え付ける。
【０００８】
各昇降路ユニットの接合が完了すると、図４に示すように足場１１，２１を折り畳み、最下昇降機ユニット６０を昇降路内に搬入して据え付ける。この昇降機ユニット６０は、ガイドレール６１，かご６２，バッファなどのピット装置６３などからなっている。
【０００９】
次に図５に示すように、ガイドレール７１などからなる中間昇降機ユニット７０を搬入して据え付ける。この作業では、足場２１の床面積の大きさを、中間昇降機ユニット７０の据付作業に必要な量に調節して使用するとともに、かご６２の天井部を足場として使用している。
同様に図６に示すように、足場２１，３１を使って最上昇降機ユニット８０を据え付ける。この最上昇降機ユニット８０にはガイドレール８１，カウンターウエイト８２，巻上機８３などを備えている。更に昇降路の屋根４０を据え付ける。
【００１０】
そして、かご６２，巻上機８３，カウンターウエイト８２に主ロープを掛けたり、各種の配線等を行った後、足場１１，２１，３１を乗場からの操作によって折り畳む。
次に図7に示すように、かご６２を昇降させながら、かご６２の天井部から各足場１１，２１，３１を撤去し、必要に応じて昇降路ユニット１０，２０，３０及び昇降機ユニット６０，７０，８０の据え付けの残り作業や微調整を行い、据え付けを完了する。
【００１１】
図８は折り畳み式足場の一例を示す図であり、竪柱１０１、横梁１０２等からなる昇降路取付部１０３の下端には軸１０４によって床１１０が回動自在に枢着されており、この昇降路取付部１０３によって各昇降路ユニット１０，２０，３０に着脱自在に固定される。１０５は床１１０の開閉用のワイヤーであり、一端は竪柱１０１の一方の上部に固定され、床１１０の下部，他方の竪枠１０１の上部を経由して、他端が巻取器１０６に巻かれている。この巻取器１０６は乗場から操作できる位置に設けられている。
【００１２】
１０７は横腕部が差込式になっており、図８の太い矢印方向に伸縮可能な構成の手摺であり、床１１０や補助床１１１に空けた穴（図示省略）にその先端を挿入することによって、床１１０や補助床１１１に取り付けられる。１０８は床１１０の開閉を補助するばね付ブレース、１０９は手摺１０７に取り付けられている幅木であり、手摺１０７と同様に図８の太い矢印方向に伸縮可能になっている。
【００１３】
この足場で、床面積を狭くするときは、実線のように、手摺１０７及び幅木１０９を太い矢印方向に縮ませて床１１０に取り付ける。また、補助床１１１は立てた位置になるように、ピンやボルト等によって、手摺１０７や床１１０に保持しておく。
床面積を広くするときには、二点鎖線で示すように、補助床１１１を外側に９０度回転するとともに、手摺１０７及び幅木１０９を伸ばして、手摺１０７の先端側を補助床１１１に取り付ける。更に補助床１１１の先端辺部分には新たな幅木を取り付ける。
【００１４】
更に、折り畳むときには、手摺１０７及び幅木１０９を抜き取り、補助床１１１は内側へ回転して床１１０と重ねる。そして乗場から巻取器１０６を回して床１１０を立ちあげる。広げるときは逆の手順である。
【００１５】
以上のように本実施の形態によれば、エレベータの据え付けにおいて、現場での足場の組み立て作業がなく、また、足場の解体も一度で済むため、据付作業期間の短縮を図ることができる。
【００１６】
図９は折り畳み式足場の他の例を示す図であり、図８と同一符号は同一のものを示している。この例は床１１０を床枠１１０ａと床板１１０ｂとで構成し、補助床１１１を補助床枠１１１ａと補助床板１１１ｂとで構成している。またばね付ブレース１０８の代わりにワイヤーを連結した構成のブレース１２０を使用するとともに、ワイヤー１０５の架設形状も相違している。１３０は補助床１１１に取付けたワイヤー１０５の滑車である。
【００１７】
この実施形態では、補助床枠１１１ａ及び補助床板１１１ｂは図９の矢印で示すように１８０度回転して、又は太い矢印で示すようにスライドして床１１０と重なる構成である。
この実施形態で床面積を狭くするときは、二点鎖線で示すように、補助床１１１を床１１０に重ね、手摺１０７及び幅木１０９をスライドして縮ませて床１１０に取り付ける。床面積を広くするときには実線で示すように補助床１１１を広げ、手摺１０７及び幅木１０９を伸ばして床１１０，補助床１１１に取り付ける。折り畳むときには、手摺１０７及び幅木１０９を抜き取り、床面積を小さくして、ワイヤー１０５を引っ張って折り畳み、ワイヤー１０５は竪柱１０１や昇降路壁に係止する。広げるときは逆である。
【００１８】
前記実施形態において、滑車１３０は床１１０に取付けても良い。また足場を広げたときに滑車１３０を取り外せるようにすれば足場上で据え付け作業がやりやすくなる。更にブレース１２０は鋼板をヒンジや軸で連結したものでもよく、また床１１０等を折り畳んだとき竪柱１０１と床１１０等とをストッパなどで係止しておいてもよい。
【００１９】
前記の実施形態においては、昇降路ユニット、昇降機ユニットは１階床毎に1ユニットづつ配置しているが、これに限ることはなく１ユニットが複数階床の長さのものであってもよいし、一つの昇降路ユニットに複数の足場を設けてもよい。
また、昇降路への搬入時、かご６２は最下昇降機ユニット６０に、カウンターウエイト８２は最上昇降機ユニット８０に組み込んであるが、これに限ることはなく他のユニットに組み込んでおいてもよい。
更に、乗場ユニットの搬入・据付時期も前記実施形態に限ることはなく、現場の事情に合わせて、適宜変更可能である。
【００２０】
前記の実施形態では、各足場１１，２１，３１間の移動は乗場を経由しているが、各足場間に簡易梯子のようなものを設けて、直接足場間を移動することもできる。更にまた、折り畳み式足場の構成も前記実施形態に限定されることはなく、乗場から操作可能で、床面積を変更できるものであればよい。更に、本発明は油圧エレベータにも適用することができる。
【００２１】
【発明の効果】
以上説明したように、本発明によれば、据付作業が行いやすく、据付時間の短縮を図ることのできるエレベータ装置を実現できる。
【図面の簡単な説明】
【図１】本発明の実施の形態によるエレベータの据付工程を示す図である。
【図２】本発明の実施の形態によるエレベータの据付工程を示す図である。
【図３】本発明の実施の形態によるエレベータの据付工程を示す図である。
【図４】本発明の実施の形態によるエレベータの据付工程を示す図である。
【図５】本発明の実施の形態によるエレベータの据付工程を示す図である。
【図６】本発明の実施の形態によるエレベータの据付工程を示す図である。
【図７】本発明の実施の形態によるエレベータの据付工程を示す図である。
【図８】折り畳み式足場の一例を示す図である。
【図９】折り畳み式足場の他の例を示す図である。
【符号の説明】
１０，２０，３０  昇降路ユニット
１１，２１，３１  折り畳み式足場
５０  ピット
６０，７０，８０  昇降機ユニット
６１，７１，８１  ガイドレール
６２  かご
８２  カウンターウエイト
【図１】
0003994648.tif 000002
【図２】
0003994648.tif 000003
【図３】
0003994648.tif 000004
【図４】
0003994648.tif 000005
【図５】
0003994648.tif 000006
【図６】
0003994648.tif 000007
【図７】
0003994648.tif 000008
【図８】
0003994648.tif 000009
【図９】
0003994648.tif 000010